(57)【要約】      （修正有）【課題】ピックずれを防止しながら、ピック奏法の本来の感覚を演奏者に与えることができる弦楽器用ピック保持具及び弦楽器用ピックアセンブリを提供する。【解決手段】弦楽器用ピック保持具２０は、親指１又は人差し指２の一方に装着される被装着部３０と、前記親指１と前記人差し指２との間にピック１２が保持されるように前記ピック１２を前記被装着部３０に連結するための連結部４０とを備える。前記親指１又は前記人差し指２の前記一方への前記被装着部３０の装着位置に対する前記ピック１２の相対位置が前記ピック１２への外力によって変化可能に構成される。【選択図】図２
2015022050.tif 000002
【特許請求の範囲】
【請求項１】
親指又は人差し指の一方に装着される被装着部と、
前記親指と前記人差し指との間にピックが保持されるように前記ピックを前記被装着部に連結するための連結部とを備え、
前記親指又は前記人差し指の前記一方への前記被装着部の装着位置に対する前記ピックの相対位置が前記ピックへの外力によって変化可能に構成されたことを特徴とする弦楽器ピック保持具。
【請求項２】
前記外力が取り除かれると、前記親指又は前記人差し指の前記一方への前記被装着部の装着位置に対する前記ピックの相対位置は前記外力が前記ピックに加わる前の位置に復元可能であることを特徴とする請求項１に記載の弦楽器用ピック保持具。
【請求項３】
前記連結部は、前記外力によって変形可能に構成されたことを特徴とする請求項１又は２に記載の弦楽器用ピック保持具。
【請求項４】
前記被装着部は、前記親指又は前記人差し指の前記一方に嵌着されるリング部を含み、
前記連結部は、前記リング部に固定される第１端と、前記ピックが固定される第２端とを有し、
前記連結部は、前記第１端と前記第２端との間の距離が調節可能に構成されたことを特徴とする請求項１乃至３の何れか一項に記載の弦楽器用ピック保持具。
【請求項５】
前記第１端は、前記リング部の一部を構成する円弧部を周回する周回部と、前記周回部の基端側に設けられた第１面と、前記周回部の先端側に設けられた第２面とを有し、
前記第１面と前記第２面とが相互に着脱自在に構成されたことを特徴とする請求項４に記載の弦楽器用ピック保持具。
【請求項６】
前記第１面と前記第２面とは、面ファスナーによって形成されたことを特徴とする請求項５に記載の弦楽器用ピック保持具。
【請求項７】
前記リング部は、弾性部材からなることを特徴とする請求項４乃至６の何れか一項に記載の弦楽器用ピック保持具。
【請求項８】
前記装着位置は、前記人差し指のうち中節骨に相当する部位上に存在することを特徴とする請求項１乃至７の何れか一項に記載の弦楽器用ピック保持具。
【請求項９】
前記連結部は、前記人差し指のうち末節骨に相当する部位と、前記親指の末節骨に相当する部位との間に前記ピックを保持するように構成されたことを特徴とする請求項１乃至８の何れか一項に記載の弦楽器用ピック保持具。
【請求項１０】
ピックと、
前記ピックを保持するためのピック保持部とを備え、
前記ピック保持部は、
親指又は人差し指の一方に装着される被装着部と、
前記親指と前記人差し指との間にピックが保持されるように前記ピックを前記被装着部に連結するための連結部とを備え、
前記親指又は前記人差し指の前記一方への前記被装着部の装着位置に対する前記ピックの相対位置が前記ピックへの外力によって変化可能に構成された
ことを特徴とする弦楽器用ピックアセンブリ。
【発明の詳細な説明】
【技術分野】
【０００１】
本発明は、例えば、弦楽器を演奏する際に用いるピック保持具（以下、「弦楽器用ピック保持具」と称することがある。）と、該ピック保持具を備えるピックアセンブリ（以下、「弦楽器用ピックアセンブリ」と称することがある。）とに関する。
【背景技術】
【０００２】
従来から、サムピックと称される、親指に装着可能な弦楽器用ピック保持具が知られている。
【０００３】
典型的なサムピックは、金属板やセルロイド板を切り出し、曲げ加工によって親指に嵌着可能な環状部を形成することで製造される。この種のサムピックは、親指への嵌着部と、親指及び人差し指によって把持される被把持部と、演奏時に弦に接触する打弦部とが一体になっている。
【０００４】
他の形式のサムピックとして、特許文献１には、親指に嵌装される親指スリーブと、該親指スリーブに着脱自在に取り付けられるピックとを備えたサムピックが開示されている。
【０００５】
また、特許文献２には、ピック本体部と、前記ピック本体部を親指に保持するためのベルト部とを備えたサムピックが開示されている。
【０００６】
さらに、特許文献３には、親指に装着される装着部と、装着部に設けたハトメを支点として回動可能である帯板状のピックとを備えるサムピックが開示されている。
【先行技術文献】
【特許文献】
【０００７】
【特許文献１】特開２００３−５７４１号公報
【特許文献２】特開２００７−３６６５号公報
【特許文献３】特開２０１２−２２０８７６号公報
【発明の概要】
【発明が解決しようとする課題】
【０００８】
しかしながら、従来のサムピックは、ピックずれ防止の観点から、親指への装着部から打弦部までの構造はリジッドになっており、親指へのサムピックの装着位置に対するピック部（演奏時に弦と接触する部位）の相対位置が基本的には固定であった。そのため、親指にリジッドに固定されたピック部を親指と人差し指とで補助的に支えるような感覚を演奏者に与えることになり、親指と人差し指とで把持したピックによって打弦するというピック奏法の本来の感覚が得られないという問題があった。
【０００９】
本発明の少なくとも一実施形態は、ピックずれを防止しながら、ピック奏法の本来の感覚を演奏者に与えることができる弦楽器用ピック保持具及び弦楽器用ピックアセンブリを提供することを目的とする。
【課題を解決するための手段】
【００１０】
本発明の幾つかの実施形態に係る弦楽器用ピック保持具は、
親指又は人差し指の一方に装着される被装着部と、
前記親指と前記人差し指との間にピックが保持されるように前記ピックを前記被装着部に連結するための連結部とを備え、
前記親指又は前記人差し指の前記一方への前記被装着部の装着位置に対する前記ピックの相対位置が前記ピックへの外力によって変化可能に構成されたことを特徴とする。
【００１１】
上記弦楽器用ピック保持具では、親指又は人差し指の一方への被装着部の装着位置に対するピックの相対位置がピックへの外力によって変化可能に構成されている。すなわち、上記弦楽器用ピック保持具において、被装着部及び連結部は、親指及び人差し指によってピックが把持されていない状態（ピックへの外力が存在しない状態）においてピックを所定位置（親指と人差し指との間）に保持するが、ピック奏法時には親指及び人差し指からの外力に起因した、前記装着位置に対するピックの相対位置の変化を妨げない。そのため、親指への装着部から打弦部までの構造がリジッドである従来のサムピックとは異なり、ピック奏法時において連結部及び被装着部の存在が演奏者に伝わりにくい。
【００１２】
また、被装着部及び連結部は、親指及び人差し指によってピックが把持されていない状態でも、連結部及び被装着部を介して親指又は人差し指によって親指と人差し指の間に保持される。こうして、被装着部及び連結部によってピックずれを防止できる。
【００１３】
よって、ピックずれを防止しながら、親指と人差し指とで把持したピックによって打弦するというピック奏法の本来の感覚を演奏者に与えることができる。
【００１４】
幾つかの実施形態では、前記外力が取り除かれると、前記親指又は前記人差し指の前記一方への前記被装着部の装着位置に対する前記ピックの相対位置は前記外力が前記ピックに加わる前の位置に復元可能である。
【００１５】
この場合、ピック奏法による演奏から非ピック奏法による演奏（例えば、指弾き演奏）に切り換えると、親指及び人差し指からピックに加わる外力が取り除かれ、前記装着位置に対するピックの相対位置が元の状態に復元する。そのため、非ピック奏法による演奏から再びピック奏法による演奏に戻る際、ピックが適切な位置に存在するので、演奏の切換えをスムーズに行うことができる。
【００１６】
幾つかの実施形態では、前記連結部は、前記外力によって変形可能に構成される。
【００１７】
この場合、ピックへの外力によって連結部が変形可能であるという簡素な構成により、親指及び人差し指によってピックが把持されていない状態においてピックを適切な位置に保持する一方、ピック奏法時には親指及び人差し指からの外力に起因した、前記装着位置に対するピックの相対位置の変化を許容することができる。よって、簡素な構成により、ピック奏法の本来の感覚を演奏者に与えることができる。
【００１８】
幾つかの実施形態では、前記被装着部は、前記親指又は前記人差し指の前記一方に嵌着されるリング部を含み、前記連結部は、前記リング部に固定される第１端と、前記ピックが固定される第２端とを有し、前記連結部は、前記第１端と前記第２端との間の距離が調節可能に構成される。
【００１９】
この場合、連結部の第１端と第２端との距離の調節によって、親指と人差し指との間におけるピックの保持位置を細やかに調整できる。
【００２０】
幾つかの実施形態では、前記第１端は、前記リング部の一部を構成する円弧部を周回する周回部と、前記周回部の基端側に設けられた第１面と、前記周回部の先端側に設けられた第２面とを有し、前記第１面と前記第２面とが相互に着脱自在に構成される。
【００２１】
この場合、連結部の第１端の第１面と第２面とが着脱自在であるため、連結部とリング部とは相互に分離可能である。よって、演奏者の好みに応じて連結部及びリング部のサイズを適宜変更することで、親指と人差し指との間におけるピックの保持位置を適切に調整できる。また、第１面と第２面との相対的な位置関係を調節することで、連結部の第１端と第２端との距離を変化させ、親指と人差し指との間におけるピックの保持位置を調整することも可能である。
【００２２】
一実施形態では、前記第１面と前記第２面とは、面ファスナーによって形成される。
【００２３】
これにより、簡素な構成で、第１面と第２面とを相互に着脱自在とすることができる。
【００２４】
幾つかの実施形態では、前記リング部は弾性部材からなる。
【００２５】
この場合、リング部の指への圧迫に起因した演奏者の負担を和らげるとともに、ピック奏法時において、親指及び人差し指からの外力に起因した、前記装着位置に対するピックの相対位置の変化をリング部（弾性部材）単独である程度許容できる。
【００２６】
幾つかの実施形態では、前記装着位置は、前記人差し指のうち中節骨に相当する部位上に存在する。
【００２７】
ピック奏法における典型的なピックの把持の仕方によれば、ピックの延在方向が人差し指の中節部（中節骨に相当する部位）に沿うように親指の末節部と人差し指の末節部との間にピックが把持される。そのため、被装着部を人差し指のうち中節部に装着すれば、該被装着部からピックまで延設される連結部に大きな捻じれや曲げを与える必要がなく、概ね真っ直ぐな連結部を使用することができる。よって、被装着部に対する連結部の取付け角度や連結部の形状が非ピック奏法による演奏中（例えば、指弾き演奏時）に少々変化しても、ピック奏法への移行時にピックが大きくずれることがない。
【００２８】
幾つかの実施形態では、前記連結部は、前記人差し指のうち末節骨に相当する部位（末節部）と、前記親指の末節骨に相当する部位（末節部）との間に前記ピックを保持するように構成される。
【００２９】
ピック奏法における典型的なピックの把持の仕方によれば、親指の末節部と人差し指の末節部との間にピックが把持される。よって、人差し指の末節部と親指の末節部との間にピックが保持されるように連結部を構成することで、ピック奏法に適した位置にピックを保持できる。
【００３０】
本発明の幾つかの実施形態に係る弦楽器用ピックアセンブリは、
ピックと、
前記ピックを保持するためのピック保持部とを備え、
前記ピック保持部は、
親指又は人差し指の一方に装着される被装着部と、
前記親指と前記人差し指との間にピックが保持されるように前記ピックを前記被装着部に連結するための連結部とを備え、
前記親指又は前記人差し指の前記一方への前記被装着部の装着位置に対する前記ピックの相対位置が前記ピックへの外力によって変化可能に構成された
ことを特徴とする。
【００３１】
上記弦楽器用ピックアセンブリによれば、親指又は人差し指の一方への被装着部の装着位置に対するピックの相対位置がピックへの外力によって変化可能に構成されているので、ピック奏法時において連結部及び被装着部の存在が演奏者に伝わりにくい。また、被装着部及び連結部は、親指及び人差し指によってピックが把持されていない状態でも、連結部及び被装着部を介して親指又は人差し指によって親指と人差し指の間に保持される。
【００３２】
よって、ピックずれを防止しながら、親指と人差し指とで把持したピックによって打弦するというピック奏法の本来の感覚を演奏者に与えることができる。
【発明の効果】
【００３３】
本発明によれば、ピックずれを防止しながら、親指と人差し指とで把持したピックによって打弦するというピック奏法の本来の感覚を演奏者に与えることができる。
【図面の簡単な説明】
【００３４】
【図１】一実施形態に係る弦楽器用ピックアセンブリの概略図である。
【図２】一実施形態に係る弦楽器用ピックアセンブリの装着状態を示す斜視図である。
【図３】一実施形態に係る弦楽器用ピックアセンブリの分解状態を示す斜視図である。
【発明を実施するための形態】
【００３５】
以下、添付図面に従って本発明の実施形態について説明する。ただし、この実施形態に記載されている構成部品の寸法、材質、形状、その相対的配置等は、本発明の範囲をこれに限定する趣旨ではなく、単なる説明例にすぎない。
【００３６】
図１は、一実施形態に係る弦楽器用ピックアセンブリの概略図である。図２は、図１に示す弦楽器用ピックアセンブリの装着状態を示す斜視図である。図３は、図１に示す弦楽器用ピックアセンブリの分解状態を示す斜視図である。
【００３７】
図１〜３に示すように、幾つかの実施形態では、弦楽器用ピックアセンブリ１０は、ピック１２と、親指１と人差し指２の間にピック１２を保持するためのピック保持部２０とを備える。以下、弦楽器用ピックアセンブリ１０を単に「ピックアセンブリ１０」と称する。
【００３８】
幾つかの実施形態では、ピック保持部２０は、図１〜３に示すように、ピック１２とは別体で形成されたピック保持具（弦楽器用ピック保持具）として構成される。他の実施形態では、ピック保持部２０は、ピック１２と一体的に形成される。
【００３９】
図１〜３に示す例示的な実施形態のようにピック１２がピック保持具（ピック保持部）２０とは別体で形成される場合、ピック１２は、ピック保持具２０に対して着脱自在であってもよい。この場合、演奏者の好みに応じた形状・硬さ・材質のピック１２を選択して、ピックアセンブリ１０に用いることができる。
【００４０】
一実施形態では、ピック１２は、両面に接着剤が塗布された接着テープを介してピック保持具２０に着脱自在に取り付けられる。
【００４１】
ピック１２は、正三角形の角を丸めたラウンド形や二等辺三角形の角を丸めたティアドロップ形等の三角形に準ずる形状であってもよいし、五角形に代表される他の多角形に準ずる形状であってもよい。また、ピック１２の材料は特に限定されず、金属製であってもよいし、セルロイドに代表される樹脂製であってもよい。
【００４２】
幾つかの実施形態では、ピック保持部２０は、親指１又は人差し指２の一方に装着される被装着部３０と、ピック１２を被装着部３０に連結するための連結部４０とを備える。
【００４３】
なお、図１〜３に示す例示的な実施形態では、被装着部３０は、人差し指２に装着されるように構成されている。
【００４４】
そして、ピック保持部２０は、親指１又は人差し指２の前記一方への被装着部３０の装着位置に対するピック１２の相対位置がピック１２への外力によって変化可能に構成される。すなわち、被装着部３０及び連結部４０は、親指１及び人差し指２によってピック１２が把持されていない状態（ピック１２への外力が存在しない状態）においてピック１２を所定位置（親指１と人差し指２との間）に保持するが、ピック奏法時には親指１及び人差し指２からの外力に起因した、前記装着位置に対するピック１２の相対位置の変化を妨げない。
【００４５】
そのため、親指への装着部から打弦部までの構造がリジッドである従来のサムピックとは異なり、ピック奏法時において連結部４０及び被装着部３０の存在が演奏者に伝わりにくい。よって、親指１と人差し指２とで把持したピック１２によって打弦するというピック奏法の本来の感覚を演奏者に与えることができる。
【００４６】
また、被装着部３０及び連結部４０は、親指１及び人差し指２によってピック１２が把持されていない状態でも、連結部４０及び被装着部３０を介して親指１又は人差し指２によって親指１と人差し指２の間に保持される。こうして、被装着部３０及び連結部４０によってピック１２のずれを防止できる。
【００４７】
したがって、ピック演奏時におけるピック１２のずれを防止できるだけでなく、指弾き演奏からピック演奏への移行時におけるピック１２のずれを防止し、指弾き演奏とピック演奏との間のスムーズな移行も可能になる。例えば、図２に示す例示的な実施形態のように、ピックアセンブリ１０を人差し指２に装着する場合、親指１、中指、薬指及び小指による指弾き演奏が可能であり、かかる指弾き演奏とピック１２を用いたピック演奏との間の移行をスムーズに行うことができる。すなわち、ピックアセンブリ１０を人差し指２への装着時に、ピック１２の位置を予め調節しておけば、指弾き演奏からピック演奏への移行時にピック１２の位置調節を行うことなく、親指１をピック１２の位置まで動かしてそのままストロークすることができる。
【００４８】
幾つかの実施形態では、連結部４０は、ピック１２への外力によって変形可能に構成される。
【００４９】
この場合、ピック１２への外力によって連結部４０が変形可能であるという簡素な構成により、親指１及び人差し指２によってピック１２が把持されていない状態においてピック１２を適切な位置に保持する一方、ピック奏法時には親指１及び人差し指２からの外力に起因した、前記装着位置に対するピック１２の相対位置の変化を許容することができる。よって、簡素な構成により、ピック奏法の本来の感覚を演奏者に与えることができる。
【００５０】
幾つかの実施形態では、図１〜３に示すように、被装着部３０は、親指１又は人差し指２の前記一方に嵌着されるリング部を含む。一方、連結部４０は、リング部（被装着部）３０に固定される第１端４２とピック１２が固定される第２端４４とを有し、第１端４２と第２端４４との間の距離が調節可能に構成される。
【００５１】
この場合、連結部４０の第１端４２と第２端４４との距離の調節によって、親指１と人差し指２との間におけるピック１２の保持位置を細やかに調整できる。
【００５２】
一実施形態では、図１〜３に示すように、連結部４０の第１端４２は、リング部（被装着部）３０の一部を構成する円弧部を周回する周回部４６を有する。そして、周回部４６の基端側に設けられた第１面４８Ａと、周回部４６の先端側に設けられた第２面４８Ｂとは、相互に着脱自在に構成される。
【００５３】
これにより、第１面４８Ａと第２面４８Ｂとの相対的な位置関係を調節することで、連結部４０の第１端４２と第２端４４との間の距離を変化させ、親指１と人差し指２との間におけるピック１２の保持位置を調整することが可能である。
【００５４】
また、連結部４０の第１端４２の第１面４８Ａと第２面４８Ｂとが着脱自在であるため、連結部４０とリング部（被装着部）３０とは相互に分離可能である。よって、演奏者の好みに応じて連結部４０及びリング部（被装着部）３０のサイズを適宜変更することで、親指１と人差し指２との間におけるピック１２の保持位置を適切に調整できる。
【００５５】
一実施形態では、第１面４８Ａと第２面４８Ｂとは、面ファスナー４８によって形成される。
【００５６】
これにより、簡素な構成で、第１面４８Ａと第２面４８Ｂとを相互に着脱自在とすることができる。また、第１面４８Ａに対する第２面４８Ｂの貼り付け位置を変化させることで、連結部４０の第１端４２と第２端４４との間の距離を変化させ、親指１と人差し指２との間におけるピック１２の保持位置を容易に調節することができる。
【００５７】
幾つかの実施形態では、ピック１２への外力が取り除かれると、リング部（被装着部）３０の装着位置に対するピック１２の相対位置は前記外力がピック１２に加わる前の位置に復元可能である。
【００５８】
この場合、ピック奏法による演奏から非ピック奏法による演奏（例えば、指弾き演奏）に切り換えると、親指１及び人差し指２からピック１２に加わる外力が取り除かれ、リング部（被装着部）３０の装着位置に対するピック１２の相対位置が元の状態に復元する。そのため、非ピック奏法による演奏から再びピック奏法による演奏に戻る際、ピック１２が適切な位置に存在するので、演奏の切換えをスムーズに行うことができる。
【００５９】
なお、リング部（被装着部）３０の装着位置に対するピック１２の相対位置を復元可能とするためには、例えば、復元力を発現可能な材質（例えば弾性部材）により被装着部３０又は連結部４０を形成してもよいし、被装着部３０及び連結部４０以外に復元力を発現可能な部材を別途設けてもよい。
【００６０】
幾つかの実施形態では、被装着部３０を構成するリング部は弾性部材（エラストマ）からなる。
【００６１】
この場合、リング部（被装着部）３０の指（１，２）への圧迫に起因した演奏者の負担を和らげるとともに、ピック奏法時において、親指１及び人差し指２からの外力に起因した、前記装着位置に対するピック１２の相対位置の変化をリング部（弾性部材）３０単独である程度許容できる。
【００６２】
幾つかの実施形態では、図２に示すように、被装着部３０の装着位置は、人差し指２のうち中節骨に相当する部位（中節部２Ｍ）上に存在する。
【００６３】
ピック奏法における典型的なピック１２の把持の仕方によれば、ピック１２の延在方向が人差し指２の中節部２Ｍに沿うように親指１の末節部１Ｄと人差し指２の末節部２Ｄとの間にピック１２が把持される。そのため、被装着部３０を人差し指２のうち中節部２Ｍに装着すれば、該被装着部３０からピック１２まで延設される連結部４０に大きな捻じれや曲げを与える必要がなく、概ね真っ直ぐな連結部４０を使用することができる。よって、被装着部３０に対する連結部４０の取付け角度や連結部４０の形状が非ピック奏法による演奏中（例えば、指弾き演奏時）に少々変化しても、ピック奏法への移行時にピック１２が大きくずれることがない。
【００６４】
幾つかの実施形態では、図２に示すように、連結部４０は、人差し指２のうち末節骨に相当する部位（末節部２Ｄ）と、親指１の末節骨に相当する部位（末節部１Ｄ）との間にピック１２を保持するように構成される。
【００６５】
ピック奏法における典型的なピック１２の把持の仕方によれば、親指１の末節部１Ｄと人差し指２の末節部２Ｄとの間にピック１２が把持される。よって、人差し指２の末節部２Ｄと親指１の末節部１Ｄとの間にピック１２が保持されるように連結部４０を構成することで、ピック奏法に適した位置にピック１２を保持できる。
【００６６】
以上、本発明の実施形態について詳細に説明したが、本発明はこれに限定されず、本発明の要旨を逸脱しない範囲において、各種の改良や変形を行ってもよいのはいうまでもない。
【符号の説明】
【００６７】
１  親指
２  人差し指
１０  ピックアセンブリ
１２  ピック
２０  ピック保持部（ピック保持具）
３０  被装着部
４０  連結部
４２  第１端
４４  第２端
４６  周回部
４８  面ファスナー
４８Ａ  第１面
４８Ｂ  第２面
【図１】
2015022050.tif 000003
【図２】
2015022050.tif 000004
【図３】
2015022050.tif 000005